(57)【要約】【課題】不特定多数の人が集まる公共の場所で，多くの人に広告類を含む最適な情報を提供できるようにする。【解決手段】ＲＦＩＤリーダ１０によって情報表示装置１８のそばにいる不特定多数の人々が所持するＲＦＩＤタグ２Ａ〜２ＣのＩＤを収集する。対象プロファイル抽出部１１は，各ＩＤに対応する個人プロファイルを抽出し，仮想個人作成部１３は，抽出したプロファイル群を統計処理することにより代表プロファイルを生成し，あらかじめ仮想個人プロファイル記憶部１４に登録された仮想個人プロファイルから代表プロファイルに近いものを選出する。その仮想個人プロファイルに関連付けられた提供情報または広告情報を，情報表示装置１８に出力する。【選択図】図１
2007316684.tif 000002
【特許請求の範囲】
【請求項１】
提供情報または広告情報を表示する情報表示装置と，
ＲＦＩＤタグが発信するＩＤを検知するＲＦＩＤリーダと，
前記ＲＦＩＤタグを所持する個人の属性情報であって，属性の種類を示すカテゴリごとに属性値であるアイテムが登録されたプロファイルを，前記ＩＤに対応させて記憶する個人プロファイル記憶手段と，
あらかじめ定義された仮想的な人間の属性情報であって，前記カテゴリごとにアイテムが登録されたプロファイルを，仮想個人プロファイルとして複数の仮想的な人間の数だけ記憶する仮想個人プロファイル記憶手段と，
前記各仮想的な人間に対応付けられた提供情報または広告情報を記憶する提供情報記憶手段と，
前記ＲＦＩＤリーダが検知したＩＤを収集し，前記個人プロファイル記憶手段から収集した各ＩＤに対応する複数のプロファイルを抽出する対象プロファイル抽出手段と，
前記対象プロファイル抽出手段が抽出した複数のプロファイルを統計処理することにより，前記複数のプロファイルを代表する一つの代表プロファイルを生成し，前記仮想個人プロファイル記憶手段から，前記代表プロファイルに最も類似する前記仮想個人プロファイルを選出する仮想個人作成手段と，
前記提供情報記憶手段から前記選出された仮想個人プロファイルを有する仮想的な人間に対応付けられた提供情報または広告情報を読み出し，前記情報表示装置に出力する情報作成・配信手段と，
から構成される情報提供システム。
【請求項２】
前記仮想個人作成手段は，前記複数のプロファイルから前記代表プロファイルを生成するときに，各カテゴリごとに同一のアイテムの数を集計し，最大数のアイテムを代表プロファイルにおけるそのカテゴリのアイテムとする
ことを特徴とする請求項１記載の情報提供システム。
【請求項３】
前記情報表示装置および前記ＲＦＩＤリーダと，
前記個人プロファイル記憶手段，前記仮想個人プロファイル記憶手段，前記提供情報記憶手段，前記対象プロファイル抽出手段，前記仮想個人作成手段，および前記情報作成・配信手段とを備えた情報提供サーバとが，
ネットワークを介して接続された
ことを特徴とする請求項１または請求項２記載の情報提供システム。
【請求項４】
提供情報または広告情報を表示する情報表示装置と，
ＲＦＩＤタグが発信するＩＤを検知するＲＦＩＤリーダと，
前記ＲＦＩＤタグを所持する個人の属性情報であって，属性の種類を示すカテゴリごとに属性値であるアイテムが登録されたプロファイルを，前記ＩＤに対応させて記憶する個人プロファイル記憶手段と，
あらかじめ定義された仮想的な人間の属性情報であって，前記カテゴリごとにアイテムが登録されたプロファイルを，仮想個人プロファイルとして複数の仮想的な人間の数だけ記憶する仮想個人プロファイル記憶手段と，
前記各仮想的な人間に対応付けられた提供情報または広告情報を記憶する提供情報記憶手段とを備える情報提供システムが実行する情報提供方法であって，
前記ＲＦＩＤリーダが検知したＩＤを収集し，前記個人プロファイル記憶手段から収集した各ＩＤに対応する複数のプロファイルを抽出する対象プロファイル抽出過程と，
前記対象プロファイル抽出過程により抽出した複数のプロファイルを統計処理することにより，前記複数のプロファイルを代表する一つの代表プロファイルを生成し，前記仮想個人プロファイル記憶手段から，前記代表プロファイルに最も類似する前記仮想個人プロファイルを選出する仮想個人作成過程と，
前記提供情報記憶手段から前記選出された仮想個人プロファイルを有する仮想的な人間に対応付けられた提供情報または広告情報を読み出し，前記情報表示装置に出力する情報作成・配信過程と，
を有することを特徴とする情報提供方法。
【請求項５】
提供情報または広告情報を表示する情報表示装置と，ＲＦＩＤタグが発信するＩＤを検知するＲＦＩＤリーダと，コンピュータとを備える情報提供システムにおいて，前記コンピュータに実行させるための情報提供プログラムであって，
前記コンピュータを，
前記ＲＦＩＤタグを所持する個人の属性情報であって，属性の種類を示すカテゴリごとに属性値であるアイテムが登録されたプロファイルを，前記ＩＤに対応させて記憶する個人プロファイル記憶手段と，
あらかじめ定義された仮想的な人間の属性情報であって，前記カテゴリごとにアイテムが登録されたプロファイルを，仮想個人プロファイルとして複数の仮想的な人間の数だけ記憶する仮想個人プロファイル記憶手段と，
前記各仮想的な人間に対応付けられた提供情報または広告情報を記憶する提供情報記憶手段と，
前記ＲＦＩＤリーダが検知したＩＤを収集し，前記個人プロファイル記憶手段から収集した各ＩＤに対応する複数のプロファイルを抽出する対象プロファイル抽出手段と，
前記対象プロファイル抽出手段が抽出した複数のプロファイルを統計処理することにより，前記複数のプロファイルを代表する一つの代表プロファイルを生成し，前記仮想個人プロファイル記憶手段から，前記代表プロファイルに最も類似する前記仮想個人プロファイルを選出する仮想個人作成手段と，
前記提供情報記憶手段から前記選出された仮想個人プロファイルを有する仮想的な人間に対応付けられた提供情報または広告情報を読み出し，前記情報表示装置に出力する情報作成・配信手段として
機能させるための情報提供プログラム。
【発明の詳細な説明】
【技術分野】
【０００１】
本発明は，広告等の表示用情報を大型ディスプレイ装置等を介して提供する集団向け情報配信技術に関し，特に，ＲＦＩＤタグ（無線タグ）検知情報を統計処理することにより，公共の場に設置されたマスメディア向け媒体を，不特定多数の人間の個々の嗜好に極力合わせ，有効な情報サービス媒体，広告媒体にするための情報提供システム，情報提供方法および情報提供プログラムに関するものである。
【背景技術】
【０００２】
広告の効果は，広告の内容とその広告を見る人のプロファイル（性別，年齢層，職業，趣味・嗜好等）とによって大きく異なることは，よく知られている。また，各種の情報サービスの有益性も，その情報サービスを受ける人のプロファイルによって，大きく異なってくる。
【０００３】
しかし，今まで人が集まる場所に設置されていた広告塔，例えばビルの壁面や空港，駅等の待合せ場所に設置されている大画面表示装置，中吊り広告等といった公共の場における情報提供媒体，広告媒体では，その公共の場にどのようなプロファイルを有する人がいるかに関係なく，あらかじめ一律に定められた情報および広告が情報提供媒体，広告媒体に提示されていた。したがって，例えば年配者しかいないにもかかわらず，若者向けの広告を表示するなどの無駄な情報（広告）配信を行うようなことが多くあった。
【０００４】
例えば携帯電話などの個人情報端末への情報配信ならば，閲覧者が特定されるため，閲覧者のプロファイルに応じて事前に配信する情報（広告）を選択することにより，無駄な情報配信を避け，配信者および閲覧者にとって有用と考えられる情報配信だけを行うことも可能である。しかし，不特定多数の人が視聴可能な公共の場での広告塔などの場合，特定の個人に有用な情報（広告）を表示しても，多くの無関係な人も視聴することになってしまうため，例えば販売促進力などの大きな効果は得られないことが多い。
【０００５】
インターネット上で，不特定多数のユーザに対して，ユーザの趣味・嗜好に適した広告を選択して配信し，効率的に高い広告効果を得られるようにするための技術として，特許文献１に記載されたインターネット広告配信システムが知られている。この特許文献１に記載されたシステムでは，広告データベースと，ユーザのアクセス履歴・入力情報に基づき，ユーザの趣味・嗜好をいくつかのカテゴリに分類して蓄積したユーザ趣向データベースとを有する装置を，インターネット上に設け，ユーザからの広告情報配信要求があった場合に，そのユーザのＩＰアドレスをキーにしてユーザ趣向データベース内を検索し，ユーザの趣向に最適な広告情報を，広告データベースから選択してユーザに配信する。
【０００６】
また，顧客の店舗来店時，顧客が個人だけの来店なのか，グループでの来店なのかを判断し，顧客の来店形態及び顧客の属性に応じた効果的な広告を顧客に通知するための技術として，特許文献２に記載された顧客の来店形態と顧客属性に対応した広告通知システムがある。
【０００７】
この特許文献２に記載された技術は，顧客がどのようなグループと一緒にいるか，もしくは一人でいるのかによって提供する情報を変えるというものである。このシステムでは，店舗は顧客の会員登録及び会員家族の家族会員登録を行い，それぞれの会員識別情報を記録したＲＦＩＤタグ付き会員カードを予め配布し，顧客の店舗来店時，店舗の入口付近に，会員カードのＲＦＩＤタグを検知する手段を設けて，該顧客の会員番号を取得し，会員本人及びグループ家族のそれぞれの来店が所定時間内であるかにより，来店が個人かグループ家族かの判断をした上で，顧客の来店形態及び顧客の属性に応じた広告／販売促進メッセージをキオスク端末に表示するようにしている。
【特許文献１】特開２００２−１３２８２２号公報
【特許文献２】特開２００６−１１３８１９号公報
【発明の開示】
【発明が解決しようとする課題】
【０００８】
上記特許文献１に記載された技術は，広告を閲覧する個人が特定されるため，インターネットに接続されるユーザに対する広告配信には有効であるが，不特定多数が集まる公共の場に設置された広告塔等における広告には，利用することができない。
【０００９】
また，上記特許文献２に記載されているシステムの場合，広告情報の閲覧者は，本人または家族グループ，友人グループと限定されており，例えば駅，ショッピングモール，アミューズメントパークというような公共の場における情報（広告）の配信には，必ずしも最適な情報（広告）を配信できるとは限らない。なぜならば，公共の場における広告塔等の前には，複数の家族グループおよび複数の友人グループが存在することもあり，特定の個人またはグループに適した情報（広告）を選択して配信しても，それが他の多くの人または他のグループにとって有用であるとは限らないからである。
【００１０】
本発明は上記問題点の解決を図り，不特定多数の人が集まる公共の場所で，多くの人に広告類を含む最適な情報を提供できるようにすることを目的とする。
【課題を解決するための手段】
【００１１】
本発明は，上記課題を解決するため，公共媒体の近くに存在する複数の人々を，ＲＦＩＤタグ（無線タグともいう）が発信するＩＤを用いてほぼ同時に検知・識別し，準備されているプロファイル群から対象の個々のＩＤに対応するプロファイルを抽出し，その各カテゴリを統計処理し，カテゴリごとに最大数を示すアイテムを算出し，それによって求められるアイテムの集合を人々の代表プロファイル（仮想個人）として認識し，そのプロファイルに合わせた情報サービス，広告配信を行う。
【００１２】
具体的な手順は，以下のとおりである。
・ＲＦＩＤリーダで一定の範囲に存在する人々の識別情報（ＩＤ）を検知・収集する。
・収集した識別情報をもとに，あらかじめ登録されているプロファイル群から対象のプロファイル情報をすべて抽出する。
・抽出したプロファイル情報から各カテゴリの最大数アイテムを抽出し，代表プロファイル（仮想個人）を生成する。
・生成した仮想個人のプロファイルにより，その場所にいる人々の集団があたかも一人の個人のプロファイルを持つようにみせかけ，その仮想個人に適した情報サービスまたは広告を，あらかじめ仮想個人のプロファイルに対応して用意された情報記憶媒体の中から選択する。
・選択した仮想個人に適合する情報サービス，広告配信を，識別情報を収集した場所に存在する大型ディスプレイ装置やスピーカー等のマスメディア向け情報出力媒体に配信する。
【００１３】
なお，仮想個人を作成する場所は，識別情報を収集した場所に存在する処理装置でも，離れた場所に存在するサーバでもどちらでもよい。
【発明の効果】
【００１４】
本発明によれば，例えばショッピングモールやアミューズメントパークのような不特定多数の人が集まる場所に存在するマスメディア媒体に対して，その付近にいる人々の特性に合わせた情報サービス，広告配信を行うことで，最適な情報サービスを実現し，広告の場合には最大限の広告効果を上げることができる。
【発明を実施するための最良の形態】
【００１５】
以下，本発明の実施の形態を図面を用いて説明する。
【００１６】
図１は，本発明の一実施形態を示す情報提供システムのブロック図である。図１において，１はＣＰＵおよびメモリ等からなるコンピュータ・システムによって実現される情報提供装置である。情報提供装置１は，ＲＦＩＤリーダ１０，対象プロファイル抽出部１１，個人プロファイル記憶部１２，仮想個人作成部１３，仮想個人プロファイル記憶部１４，提供サービス情報作成部１５，提供情報記憶部１６，情報配信部１７，情報表示装置１８を備える。
【００１７】
ＲＦＩＤリーダ１０は，アンテナ１０１と通信制御装置１０２を備え，近くにいる人間が所持するＲＦＩＤタグ２Ａ〜２Ｃが発信する各ＩＤを読み取る。読み取られたＩＤは，対象プロファイル抽出部１１へ送られる。
【００１８】
個人プロファイル記憶部１２には，あらかじめ各ＩＤごとに，そのＩＤが割り当てられたＲＦＩＤタグの所有者のプロファイル（属性）情報が格納されている。対象プロファイル抽出部１１は，ＲＦＩＤリーダ１０から受け取ったＩＤに対応するプロファイル情報を個人プロファイル記憶部１２から読み出し，仮想個人作成部１３へ送る。
【００１９】
仮想個人プロファイル記憶部１４には，あらかじめ仮想的な人間を想定して作成された代表的なプロファイル情報のいくつかが，個人プロファイル記憶部１２のプロファイル情報と同様な形式で格納されている。仮想個人作成部１３は，対象プロファイル抽出部１１から受け取ったプロファイル情報を統計処理し，あたかも一人の個人のプロファイル情報であるかのような一つの代表プロファイル情報を作成する。次に，仮想個人作成部１３は，作成した代表プロファイル情報に最も近いプロファイル情報を持つ仮想個人のプロファイル情報を，仮想個人プロファイル記憶部１４から検索する。仮想個人作成部１３は，検索したプロファイル情報またはその仮想個人のＩＤを，提供サービス情報作成部１５へ送る。
【００２０】
提供情報記憶部１６には，あらかじめ提供情報または広告情報の多数のコンテンツが格納されており，これらはプロファイル情報または仮想個人のＩＤに関連付けられている。提供サービス情報作成部１５は，仮想個人作成部１３からプロファイル情報または仮想個人のＩＤを受け取ると，そのプロファイル情報または仮想個人のＩＤに関連付けられた提供情報または広告情報のコンテンツを読み出し，その場所にいるＲＦＩＤタグ２Ａ〜２Ｃを所持する人間に提供する提供サービス情報（提供情報や広告情報などの出力情報）を作成し，情報配信部１７へ送る。
【００２１】
情報配信部１７は，提供サービス情報作成部１５から受け取った提供サービス情報を，大型ディスプレイ装置や電光掲示板などの情報表示装置１８に出力する。なお，スピーカー等により提供サービス情報を音声出力してもよい。
【００２２】
図１に示す情報提供システムは，広告塔等が設置されている場所，詳しくはＲＦＩＤタグのＩＤを検知できる場所に，情報提供装置１がある場合の例であるが，ＲＦＩＤタグのＩＤを収集する場所と，提供サービス情報を作成し配信する場所とが，離れていてもよい。図２に，その情報提供システムの例を示す。
【００２３】
図２において，図１と同符号のものは図１に示すものに対応する。図中の３は情報提供サーバであり，図１に示す情報提供装置１からＲＦＩＤリーダ１０と情報表示装置１８とを切り離したものとなっている。４は広告塔であり，大型ディスプレイ装置などの情報表示装置１８が設けられるとともに，ＲＦＩＤリーダ１０が設けられている。５は有線または無線のネットワークである。
【００２４】
図２の情報提供システムは，ＲＦＩＤリーダ１０で検知されたＩＤがネットワーク５を介して情報提供サーバ３へ送られる点と，情報配信部１７から情報表示装置１８への情報配信が，ネットワーク５を介して行われる点以外は，基本的に図１に示す情報提供システムとまったく同様である。
【００２５】
以下，本発明の実施の形態を，具体例に従ってさらに詳しく説明する。
【００２６】
図３は，ＲＦＩＤタグのＩＤを検知し，収集する様子を示している。不特定多数の人が集まる公共の場に，大型ディスプレイ装置や電光掲示板等の情報表示装置１８が設けられた広告塔４があり，この広告塔４の中または広告塔４の近くに，１または複数のＲＦＩＤリーダ１０が設けられている。この公共の場に集まる各人は，それぞれ異なるＩＤを発信するＲＦＩＤタグを所持しているものとする。この公共の場に滞在する人々に向けて，有効な広告や最適な情報を提供するために，情報提供サーバ３は，ＲＦＩＤリーダ１０で検知したＲＦＩＤタグのＩＤを収集する。
【００２７】
図４は，個人プロファイル記憶部１２に格納される個人プロファイルテーブルの例を示す。個人プロファイルテーブルには，あらかじめ各ＲＦＩＤタグのＩＤ情報と，例えば，性別，世代，職種，居住地，趣味というような属性の種類（これをカテゴリという）ごとの属性の値（これをアイテムという）との対応情報が格納されている。例えば，「性別」をカテゴリとした場合，「男性」または「女性」がアイテムである。趣味等のカテゴリの場合，一つのカテゴリに複数のアイテムが登録されていてもよい。なお，この例ではＲＦＩＤタグのＩＤを個人を識別する情報として用いているが，ＲＦＩＤタグのＩＤとユーザＩＤとの対応情報を別に保持し，ユーザＩＤを，個人プロファイルテーブルにおける個人を識別する情報として用いることも，本発明の実施の一形態として可能である。
【００２８】
図５は，対象プロファイル抽出部１１による対象プロファイルの抽出と，仮想個人作成部１３による代表プロファイルの作成例を説明する図である。
【００２９】
図３における公共の場において，ＲＦＩＤリーダ１０が，ＲＦＩＤタグが発信するＩＤとして，Ａ，Ｂ，Ｃ，Ｇ，Ｈ，ＫのＩＤを検知したとする。情報提供サーバ３はそれらのＩＤ情報を受け取り，情報提供サーバ３の対象プロファイル抽出部１１は，図４に示す個人プロファイルテーブルから，Ａ，Ｂ，Ｃ，Ｇ，Ｈ，ＫのＩＤのそれぞれに対応する対象プロファイルを抽出する。図５（Ａ）が，抽出された対象プロファイルである。
【００３０】
仮想個人作成部１３は，抽出された対象プロファイルの各カテゴリごとに，アイテムを集計し，最大数のアイテムを抽出する。図５（Ｂ）は，その集計の状態を示している。各カテゴリごとの最大数アイテムは，性別が女性（４点），世代が３０代（５点），職種が会社員（５点），居住地が関東（４点），趣味が海外旅行（３点）となっていることがわかる。これを現在，広告塔４の近くにいる集団の代表プロファイルとする。
【００３１】
なお，同数の最大数アイテムがいくつかある場合，その複数の最大数アイテムの中でどれを代表プロファイルのアイテムとして選択してもよい。例えば乱数を用いて複数の最大数アイテムの中の一つをランダムに選択する方法を用いてもよい。
【００３２】
図６は，仮想個人プロファイルに基づく広告コンテンツの選択例を示す図である。仮想個人プロファイル記憶部１４には，あらかじめ図６（Ｂ）に示すような仮想個人プロファイルテーブルが格納されている。仮想個人プロファイルテーブルは，実在する人間のプロファイル情報ではなく，仮想的に想定された人間のプロファイル情報である。このプロファイル情報は，広告や情報提供の意図に応じて，あらかじめ任意に作成して登録しておくことができる。仮想個人プロファイルテーブルにおけるＶ−ＩＤは，仮想個人の識別情報である。
【００３３】
仮想個人作成部１３は，仮想個人プロファイルテーブルを検索し，対象プロファイル群から作成した図６（Ａ）の代表プロファイルに最も近いプロファイルを，仮想個人プロファイルテーブルから抽出する。図６の例では，Ｖ−ＩＤが「Ｖ２」のプロファイルが抽出されることになる。なお，仮想個人プロファイルテーブルのプロファイル情報としては，確定的なアイテムではなく，例えばワイルドカード的に「＊」（don't care）というような特殊記号のアイテムを登録しておくことができ，あるカテゴリのアイテムが「＊」の場合には，代表プロファイルにおける同じカテゴリのどのアイテムとも一致するものとして扱うように設定することもできる。
【００３４】
最も近いプロファイルを選択するための方法として，次のようなポイント演算による選択も好適である。
【００３５】
ポイントＰ＝ｗ1 ・ｘ1 ＋ｗ2 ・ｘ2 ＋…＋ｗi ・ｘi ＋…＋ｗn ・ｘn   〔式１〕
ここで，添字ｉはカテゴリ番号を表し，ｗi はカテゴリｉの重み値である。ｗi は，あらかじめ任意に定められる。特定のｗi を負数として定義してもよい。ｘi は，カテゴリｉのアイテムが一致する場合に“１”，一致しない場合に“０”の値とする。
【００３６】
代表プロファイルと仮想個人プロファイルテーブルの中の各プロファイルについて，〔式１〕によるポイントＰの演算を行い，最大のＰとなるプロファイルを仮想個人プロファイルテーブルの中から選択する。
【００３７】
仮想個人作成部１３は，仮想個人プロファイルテーブルで選択したプロファイルのＶ−ＩＤを，提供サービス情報作成部１５へ通知する。
【００３８】
以下では，広告を配信する例について説明する。提供情報記憶部１６には，あらかじめ図６（Ｃ）に示すような広告情報テーブルと，広告情報テーブルからリンクされる広告コンテンツなどの提供情報とが格納されている。提供サービス情報作成部１５は，仮想個人識別情報であるＶ−ＩＤとして「Ｖ２」が通知されると，広告情報テーブルを参照し，「Ｖ２」に関連付けられた広告コンテンツを選択する。この例では「ハワイ旅行情報」の広告コンテンツが選択されることになる。なお，広告コンテンツではなく，一般的な映像コンテンツや音声コンテンツを，あらかじめ関連付けられた仮想個人識別情報（Ｖ−ＩＤ）から選択するような実施も可能である。また，一つのＶ−ＩＤに対して，複数のコンテンツを登録しておくこともでき，この場合，例えばラウンドロビン方式などにより順番に出力するコンテンツを選択する方法を用いてもよい。
【００３９】
提供サービス情報作成部１５は，選択した「ハワイ旅行情報」の広告コンテンツを，必要に応じて編集・加工し，情報配信部１７へ送る。
【００４０】
図７は，情報の提示の例を示している。情報提供サーバ３の情報配信部１７は，「ハワイ旅行情報」の広告コンテンツを広告塔４に備えられた情報表示装置１８へ送り，情報表示装置１８は，その広告コンテンツを表示する。
【００４１】
以上のように，広告塔４の近くに滞在する個人プロファイル情報を数値的に集計することで，仮想個人と呼ぶ代表プロファイル情報を持つ仮想的な人間を想定し，仮想個人に対してあらかじめ関連付けられた情報サービス，広告の選択を行うので，その場にいる不特定多数の人々の趣味・嗜好に最も適合した広告コンテンツの提供（情報提供）を行うことが可能になる。
【００４２】
なお，ＲＦＩＤタグのＩＤ情報の収集は，常時またはコンテンツの出力時間より短い一定の時間ごとに行い，一つのコンテンツの出力が終了した時点で，直ぐに次の新しいコンテンツを出力できるようにすることが望ましい。
【００４３】
図８は，本発明の実施の形態に係る処理フローチャートである。ステップＳ１では，ＲＦＩＤ情報の収集契機かどうかを判定する。収集契機として，(1) 常時収集する，(2) 所定の時間ごとに収集する，(3) ＲＦＩＤリーダ１０のそばにＲＦＩＤタグを持った人がいる場合に収集する，というような方法を採用することができる。
【００４４】
収集契機の場合，ＲＦＩＤリーダ１０によりＲＦＩＤタグのＩＤを検知し，収集する（ステップＳ２）。収集したＩＤを情報提供サーバ３に送信する（ステップＳ３）。情報提供サーバ３の対象プロファイル抽出部１１は，個人プロファイルテーブルの中に対象のＩＤがあるかどうかを検索し（ステップＳ４），各対象ＩＤのすべての個人プロファイルを個人プロファイルテーブルから抽出する（ステップＳ５）。なお，個人プロファイルテーブルに未登録のＩＤがあった場合，その対象ＩＤは破棄する。
【００４５】
次に，仮想個人作成部１３は，抽出した個人プロファイルの各カテゴリごとに，同じアイテムの数を集計する（ステップＳ６）。その集計結果から一番多いアイテムを抽出する（ステップＳ７）。ステップＳ６，Ｓ７をプロファイル情報の全カテゴリについて繰り返す（ステップＳ８）。
【００４６】
その後，各カテゴリごとに抽出したアイテムによって，仮想個人の代表プロファイルを作成する（ステップＳ９）。その代表プロファイルをもとに，提供サービス情報作成部１５は，仮想個人に適合する広告等のコンテンツを選択し，出力情報を作成する（ステップＳ１０）。作成した出力情報（広告等）を，ＩＤを収集した場所に存在する出力媒体である情報表示装置１８に送信し，情報表示装置１８に表示させる（ステップＳ１１）。
【００４７】
情報提供サーバ３における以上の処理は，コンピュータとソフトウェアプログラムとによって実現することができ，そのプログラムをコンピュータ読み取り可能な記録媒体に記録して提供することも，ネットワークを通して提供することも可能である。
【図面の簡単な説明】
【００４８】
【図１】本発明の一実施形態を示す情報提供システムのブロック図である。
【図２】本発明の他の実施形態を示す情報提供システムのブロック図である。
【図３】ＲＦＩＤタグのＩＤを検知し，収集する様子を示す図である。
【図４】個人プロファイルテーブルの例を示す図である。
【図５】対象プロファイルの抽出と代表プロファイルの作成例を示す図である。
【図６】仮想個人プロファイルに基づく広告コンテンツの選択例を示す図である。
【図７】情報の提示の例を示す図である。
【図８】本発明の実施の形態に係る処理フローチャートである。
【符号の説明】
【００４９】
１    情報提供装置
１０  ＲＦＩＤリーダ
１０１  アンテナ
１０２  通信制御装置
１１  対象プロファイル抽出部
１２  個人プロファイル記憶部
１３  仮想個人作成部
１４  仮想個人プロファイル記憶部
１５  提供サービス情報作成部
１６  提供情報記憶部
１７  情報配信部
１８  情報表示装置
２Ａ〜２Ｃ  ＲＦＩＤタグ
３    情報提供サーバ
４    広告塔
５    ネットワーク
【図１】
2007316684.tif 000003
【図２】
2007316684.tif 000004
【図３】
2007316684.tif 000005
【図４】
2007316684.tif 000006
【図５】
2007316684.tif 000007
【図６】
2007316684.tif 000008
【図７】
2007316684.tif 000009
【図８】
2007316684.tif 000010